(57)【要約】【課題】天面閉鎖後容易に開封できかつ再閉鎖が容易であって、一枚の天面フラップを開けただけで内容物の確認が容易な大きな開口部を形成できる包装用箱を提供する。【解決手段】対向する前後両側板の一方の側板に連接されていて天面の略半面を覆う内フラップ７と、左右両側板に連接されていて前記内フラップ上に左右から折り重ねられており、かつ内フラップと重なっていない互いの相対する先端縁間が離間している外フラップ６，８と、前記前後両側板の他方の側板に連接されていて先端部の差込片９を前記内面フラップ７の下側まで抜き差し自在に差込係合して天面を閉鎖する開閉用フラップ５を有している包装用箱。【選択図】  図３
0003165142.tif 000002
【実用新案登録請求の範囲】
【請求項１】
前後両側板１，３及び左右両側板２，４の各上縁に折線を介して連設されている天面用フラップにより天面が開閉自在に閉鎖され、前後両側板及び左右両側板の各下縁に折線を介して連設されている底面用フラップにより底面が閉鎖される紙製箱体であって、
前後両側板の一方の天面用フラップはその先端縁が略天面中央部に位置するように最初に折り曲げられて内フラップ７を形成し、
左右両側板の天面フラップは、上記内フラップ７上に折り重なって外フラップ６，８を形成していると共に、内フラップ７が存在しない天面部分で相対する両先端縁領域がそれぞれの側縁から内フラップ７の先端縁と接する位置まで帯状に切り欠かれて形成されている端縁が略Ｌ字形状である切欠部１２，１３を有しており、
前後両側板の他方の側板の天面フラップは、対向する内フラップ７の先端縁を越えてその下側まで差込可能な縦幅と横幅を有する差込片９により、折り重ねられている内フラップ７と両外フラップ６，８の各先端縁から内フラップ７の下側に抜き差し自在に差込係合される開閉用フラップ５を形成している包装用箱。
【請求項２】
前記両外フラップ６，８の切欠部１２，１３のＬ字形状端縁の屈曲角部から両外フラップ中央方向に、前記内フラップ７の先端縁に沿って線状乃至細幅帯状の差込スリット１４，１５が前記開閉用フラップ５の差込片９の横幅に対応可能に形成されている請求項１記載の包装用箱。
【請求項３】
前記開閉用フラップの横幅方向中央部の前記差込片９の下方部位に指掛孔１０を有し、該手掛孔と側板１の上縁折線との間に該折線に平行なヒンジ用折線１１を有する請求項１又は２に記載の包装用箱。
【請求項４】
前記内フラップの先端縁が、その幅方向中央部において前記開閉用フラップ５の差込片９の横幅に対応する幅で凹状に切り欠かれた差込用凹部１６である請求項１〜３のいずれか１項に記載の包装用箱。
【請求項５】
前記前後両側板が長側板であり、左右側板が側板上縁側の幅方向中央部に手掛孔２１を有する短側板である請求項１〜４のいずれか１項に記載の包装用箱。
【考案の詳細な説明】
【技術分野】
【０００１】
本考案は、主として野菜や果物等の青果物を収納し運搬するのに特に好適な包装箱であって、天面の一部開封と再封緘が容易な包装箱に関する。
【背景技術】
【０００２】
従来、青果物を箱詰めして出荷する包装箱には、工場生産され組み立てた状態で納品されたＪＩＳ−Ｚ１５０７の０２０１形式（旧Ａ−１形）の段ボール箱が多用されている。この０２０１形式の箱は、長方形状の４側板を一方向に連接し、その４側板の上下に箱の底面及び天面を封鎖するため、それぞれ内フラップ及び外フラップを連接してなるほぼ直方体形状の箱である。
【０００３】
しかし、上記形式の箱の封緘作業には、接着テープや、封緘金具とその打込みマシン（ステープラー）を用意する必要があるため、封緘用副資材のコストが必要である。青果物のような比較的重量のある内容物を大量に扱う場合は、接着テープよりもステープラーにより金具を打ち込んで封緘することが一般的であるが、封緘金具によって箱内の収納物を傷つけてしまうおそれがあるし、使用後の金具は不燃物であるため段ボールと一緒に焼却できないので分別する必要がある。
【０００４】
また、青果物を収納した段ボール箱には、開封時と使用後の解体時における作業の安全性及び簡便性が要求されるし、封緘用副資材からなるゴミの発生も量販店等では敬遠される。更に、使用済の箱を古紙として再利用する際の分別作業時に封緘用の金具で怪我をすることもあり、取扱いに注意を払う必要がある。
さらに、副資材を使用して封緘した場合、一旦封緘した箱を開封して中身を確認したのち再封緘しなければならないような用途についての使用は、作業性が劣るばかりでなく、副資材の粘着テープや封緘金具によって箱が傷つくために、事実上困難であった。
【０００５】
上記のような問題を回避するため、天面の封緘に封緘金具や接着テープ等の副資材を必要としない包装箱として、各種態様の包装箱が提案されている（特許文献１、特許文献２）。このような包装箱は、開封も再封緘も容易であり、特に青果物等のように、卸売市場でのせりの際に、業者が頻繁に内容物の状態を確認する必要がある場合に好適に用いられている。
また、さらに中身を確認し易くする必要のある場合には、天面となる各フラップを短くして、全部封鎖しても内容物が見えるタイプの包装箱も存在する（特許文献３）。
【先行技術文献】
【特許文献】
【０００６】
【特許文献１】特開２００４−０５９０４５号公報
【特許文献２】特開２００４−３５９２８５号公報
【特許文献３】特開２００７−２５３９９５号公報
【考案の概要】
【考案が解決しようとする課題】
【０００７】
特許文献１や２として挙げた先行技術文献記載の包装箱の場合、開封時に天面フラップの一部を開けても開口する部分が小さいため内容物の状態を確認できる範囲が狭くなるし、天面フラップ全部を開けると再封鎖に時間がかかるため、作業性が劣るという問題がある。
また、特許文献３のように、封緘した状態で天面の開口部から内容物が見えるタイプの段ボールケースは、内容物の確認は容易であるが、天面の開口部から飛び出すような大きさや形状の内容物や、天面全体を封鎖して保護する必要がある傷つきやすい内容物に対しての使用には適していない。
本考案は、封緘後、容易に開封と再封緘が容易であって、一枚のフラップを開けただけで大きな開口部を得ることができるため内容物の確認が容易であり、流通過程で内容物の確認が必要な青果物等の包装に特に適した包装用箱を提供することを目的とする。
【課題を解決するための手段】
【０００８】
上記課題を解決するための本考案は以下の構造の包装用箱に関する。
【０００９】
（１）前後両側板（１，３）及び左右両側板（２，４）の各上縁に折線を介して連設されている天面用フラップにより天面が開閉自在に閉鎖され、前後両側板及び左右両側板の各下縁に折線を介して連設されている底面用フラップ（１７，１８，１９，２０）により底面が閉鎖される紙製箱体であって、
前後両側板の一方の天面用フラップはその先端縁が略天面中央部に位置するように最初に折り曲げられて内フラップ（７）を形成し、
左右両側板の天面フラップは、上記内フラップ上に折り重なって外フラップ（６，８）を形成していると共に、内フラップ（７）が存在しない天面部分で相対する両先端縁領域がそれぞれの側縁から内フラップ（７）の先端縁と接する位置まで帯状に切り欠かれて形成されている端縁が略Ｌ字形状である切欠部（１２，１３）を有しており、
前後両側板の他方の側板の天面フラップは、対向する内フラップ（７）の先端縁を越えてその下側まで差込可能な縦幅と横幅を有する差込片（９）により、折り重ねられている内フラップと両外フラップの各先端縁から内フラップ（７）の下側に抜き差し自在に差込係合される開閉用フラップ（５）を形成している包装用箱。
【００１０】
（２）前記両外フラップ（６，８）の端縁がＬ字形状の切欠部（１２，１３）の端縁の屈曲角部から両フラップ中央方向に、前記内フラップ（７）の先端縁に沿って線状乃至細幅帯状の差込スリット（１４，１５）が前記開閉用フラップ（５）の差込片（９）の横幅に対応可能に形成されている（１）に記載の包装用箱。
【００１１】
（３）前記開閉用フラップ（５）の横幅方向中央部の前記差込片（９）の下方部位に指掛孔（１０）を有し、該手掛孔と側板（１）の上縁折線との間に該折線に平行なヒンジ用折線（１１）を有する（１）又は（２）に記載の包装用箱。
【００１２】
（４）前記内フラップ（７）の先端縁が、その幅方向中央部において前記開閉用フラップ先端部の差込片（９）の横幅に対応する幅で凹状に切り欠かれた差込用凹部（１６）である（１）〜（３）のいずれかに記載の包装用箱。
【００１３】
（５）前記前後両側板（１，３）が長側板であり、左右側板（２，４）が側板上縁側の幅方向中央部に手掛孔（２１）を有する短側板である（１）〜（４）のいずれかに記載の包装用箱。
【考案の効果】
【００１４】
本考案により、封緘後、容易に開封と再封緘が容易であって、一枚の天面フラップを開けただけで大きな開口部を得ることができるため内容物の状態確認が容易であり、流通過程で内容物の状態確認が必要な青果物等の包装に特に適した包装用箱を提供することが可能となった。
【図面の簡単な説明】
【００１５】
【図１】本考案の一実施形態である包装用箱の展開図である。
【図２】本考案の一実施形態である包装用箱の天面フラップの配置状態を示す斜視図である。
【図３】本考案の一実施形態である包装用箱の天面フラップを閉鎖する途中状態を示す斜視図である。
【図４】本考案の一実施形態である包装用箱の天面フラップを閉鎖した状態を示す斜視図である。
【考案を実施するための形態】
【００１６】
図面を参照して本考案をさらに具体的に説明する。
本考案の包装用箱は、廃棄処理並びにリサイクル処理の容易な段ボール等の紙、板紙を素材として作成される。特に、強度及び緩衝性と断熱性に優れた段ボールシートが好適に用いられる。
【００１７】
図１の展開図において、長側板１、短側板２、長側板３、短側板４がこの順に折線を介して連接されており、一対の長側板１，３の一方の長側板１の上縁側には、折線を介して天面用フラップが開閉用フラップ５を形成するために連接され、他方の長側板３の上縁側には天面用フラップが最初に折り込まれる内フラップ７を形成するために連設されている。
また、１対の短側板２，４のそれぞれの上縁側には、天面用フラップが、折線を介して外フラップ６，８を形成するために連接されている。
【００１８】
開閉用フラップ５の先端部は、横幅方向中央部に凸状に形成された差込片９が形成されており、前記差込片９の付け根付近には横長の打抜き穴として形成されていて開閉時に手指を差し込んで開閉用フラップ５を操作することができる指掛孔１０を有しており、さらに開閉用フラップ５と長側板１を区画する折線に平行で、天面外部から見て山折りに折り曲げ可能な押罫を形成することによって設けられているヒンジ用折線１１を有している。
【００１９】
一対の外フラップ６，８の一方の外フラップ６は、図１の展開図においては、前記開閉用フラップ５側の側縁から内フラップ７の先端縁と重なる部位まで（差込用スリット１４まで）の角部を帯状に切り欠いて形成されている端縁形状が略Ｌ字状の切欠部１２を有していて、該Ｌ字状端縁の屈曲角部には前記開閉用フラップ５の差込片９の一方の先端角部と係合する差込スリット１４が内フラップ７の先端縁に沿って（短側板２の上縁側の折線に対して略垂直方向に）設けられている。この端縁が略Ｌ字状となる切欠部１２が設けられていることにより、開閉用フラップ５を開けた際に形成される天面開放部が広くなっており、内容物の確認可能範囲が大きくなっている。
【００２０】
なお、外フラップ６と短側板２を区画する折線に平行な切欠部１２の先端縁の長さ（ｎ）は、前記差込片９の付け根部と長側板１，３の上縁側の折線との間の距離（ｍ）に略一致する。
また、他方の外フラップ８には、本考案の包装用箱を製函した時に外フラップ６と対称の構造となるように先端縁が略Ｌ字状の切欠部１３と差込スリット１５が設けられている。
【００２１】
内フラップ７は、その先端縁中央部に、開閉用フラップ５に設けられた差込片９の横幅（ｌ１）に略等しい底幅（ｌ２）を有する切欠部よりなる差込用凹部１６が設けられている。また、内フラップ７の差込用凹部１６の底部から折線に至る縦幅（ｌ３）は、前記外フラップ６，８の非切欠部の先端縁の横幅（ｌ４）に略一致する。
【００２２】
上記長側板１，３の各下縁側には、各々折線を介して底フラップ１７，１９が連設され、短側板２，４の下縁側には折線を介して底フラップ１８，２０が連接されている。
該底フラップによる底面の閉鎖状態に特に制限はない。図１の展開図に示される底フラップの形状は、一般的にはセミオートマチックロックボトム形式と言われる公知の閉鎖形式である。本考案の包装用箱においては、図１に示されたセミオートマチックロックボトム形式やオートマチックロックボトム形式等、封緘用副資材を必要としない底面封緘構造を採用すれば、本考案の包装用箱が封緘に副資材を必要としないノンステープルタイプの包装箱となるため特に好適である。また、用途によっては０２０１形式の底フラップ形状として、ステープラーもしくは粘着テープで封緘してもよい。
【００２３】
その他、図１には、長側板１，３及び短側板２，４に通気孔２３が設けられ、短側板２，４には手掛孔２１が設けられている図が示されているが、通気孔や手掛孔は本考案の包装用箱においては必要に応じて設けることできるものである。
【００２４】
図１に展開図として示されているブランクシートから包装箱を組み立てる際は、４枚の連接する長側板１、短側板２、長側板３、短側板４を順次折り曲げ、長側板１の側縁に連接された糊代部２２を短側板４の側縁領域に貼着して角筒体を形成する。包装用箱として使用する迄は、角筒体を扁平に折り畳んだ状態で保管することができる。包装用箱組み立てに際しては、扁平に折り畳んだ状態から側板を角筒状に引き起こし、最初に長側板３に連接する底フラップ１９を内側に折り込んでから、その上に、短側板２，３に連接する底フラップ１８，１９を折り込み、最後に長側板１に連接する底面フラップ１７を折り込んで、底フラップ１７に設けられた凸部を、底フラップ１９の凹部に差し込むようにして底部をロックして図２の状態の天面開放包装箱とする。
【００２５】
底面部をロックした包装箱に内容物を収納した後、天面を封緘する際は、図３に示すように、最初に内フラップ７を内側に折り込んでから、その上に、外フラップ６，８を折り重ね、最後に開閉用フラップ５の手指差込孔１０に手指を差し込み、前記開閉用フラップに設けられたヒンジ用折線１１を山折り状態に折り曲げながら、差込片９を外フラップに設けられた切欠部１２，１３と差込用スリット１４，１５に差し込むと共に、差込片９の先端を内フラップ７の先端縁中央部に設けられた差込用凹部１６から内フラップ７の下側に差し込むようにして天面を封緘する（図４）。
【００２６】
上記のように封緘した本考案の包装用箱を開封する際は、開閉用フラップ５の開閉用の指掛孔１０に指を掛けてヒンジ用折線１１が山折り状態に折れ曲がる方向に引き上げることで差込片５が持ち上がり、差込片９が内フラップ７の下側から抜き出されて外フラップ６，８の端縁がＬ字形状の切欠部１２，１３間の離間部が開放され、該離間部から内容物の状態を確認することが可能となる。また、確認後の封緘も、前記した手順で差込片９を内フラップ７の先端縁中央部に設けられた差込用凹部１６から内フラップ７の下側に差し込むことで容易に行うことができる。
【符号の説明】
【００２７】
１，３：長側板
２，４：短側板
５：開閉用フラップ
６，８：外フラップ
７．：内フラップ
９．：差込片
１０：指掛孔
１１：ヒンジ用折線
１２，１３：切欠部
１４，１５：差込スリット
１６：差込用凹部
１７〜２０：底フラップ
２１：手掛孔
２２：糊代
２３：通気孔
【図１】
0003165142.tif 000003
【図２】
0003165142.tif 000004
【図３】
0003165142.tif 000005
【図４】
0003165142.tif 000006